(57)【要約】【課題】ホスト側の機器で電源が落とされたとき、バスパワーラインに残る電荷がホスト側の機器に流れ込むことを防ぎ、ホストを保護する。【解決手段】放電装置は、バスパワーラインに接続され、第１制御信号を出力し、バスパワーラインの電圧が基準電圧以下であるか否かにより第１制御信号のレベルを変化させる第１回路と、第１制御信号が入力され、第１制御信号のレベルが変化したとき第２制御信号の一時的なレベル変化を行う第２回路と、第２制御信号が入力され、第２制御信号の一時的なレベル変化があったとき第３制御信号のレベルを非放電レベルから放電レベルに変化させ、その後、非放電レベルに戻す第３回路と、バスパワーラインに接続され、第３制御信号が放電レベルの間、バスパワーラインの電荷を放電する第４回路を含む。【選択図】図３
2017054188.tif 000002
【特許請求の範囲】
【請求項１】
ホストから前記ホストに接続されたデバイスに電力を供給するためのバスパワーラインに接続され、第１制御信号を出力し、前記バスパワーラインの電圧が予め定められた供給電圧範囲の下限値以下の電圧値であって予め定められた基準電圧以下であるときと無いときとで前記第１制御信号のレベルを変化させる第１回路と、
前記第１制御信号が入力され、第２制御信号を出力し、前記バスパワーラインの電圧が前記基準電圧を超えているときのレベルから前記基準電圧以下のときのレベルに前記第１制御信号のレベルが変化したとき前記第２制御信号の一時的なレベル変化を行う第２回路と、
前記第２制御信号が入力され、第３制御信号を出力し、前記第２制御信号の前記一時的なレベル変化があったとき前記第３制御信号のレベルを非放電レベルから放電レベルに変化させ少なくとも前記バスパワーラインの電荷を抜くのに必要な放電必要時間は前記放電レベルを維持し、その後、前記第３制御信号のレベルを前記非放電レベルに戻す第３回路と、
前記バスパワーラインに接続され、前記第３制御信号が入力され、前記第３制御信号が前記放電レベルの間、前記バスパワーラインの電荷を放電する第４回路を含むことを特徴とする放電装置。
【請求項２】
前記第１回路は、前記第１制御信号を出力するコンパレーターと、一端に電源が接続される第１抵抗と一端が前記第１抵抗の他端と接続され他端がグランドに接続される第２抵抗を含み前記第１抵抗と前記第２抵抗の間の電圧を前記基準電圧として出力する基準電圧生成回路を含み、
前記コンパレーターは、マイナス入力端子に前記バスパワーラインが接続され、プラス入力端子に前記基準電圧が入力され、前記バスパワーラインの電圧が前記基準電圧以下のとき、前記第１制御信号のレベルをＨｉｇｈとすることを特徴とする請求項１に記載の放電装置。
【請求項３】
前記第２回路は、前記第２制御信号を出力するＡＮＤ回路と、前記第１制御信号が入力されるインバーターと、一端が前記インバーターの出力と接続される第３抵抗と、一端が前記第３抵抗の他端に接続され他端がグランドに接続される第１コンデンサーを含み、
前記ＡＮＤ回路は、一方の入力端子に前記第１制御信号が入力され、他方の入力端子に前記第３抵抗と前記第１コンデンサーの間の電圧が入力され、
前記バスパワーラインの電圧が前記基準電圧を超えている状態から前記基準電圧以下になったとき、
前記第１回路は、前記第１制御信号のレベルをＬｏｗからＨｉｇｈに変化させ、
前記ＡＮＤ回路は、前記第１制御信号のレベルがＨｉｇｈであり、かつ、前記第３抵抗と前記第１コンデンサーの間の電圧が一定値以上である間、前記第２制御信号のレベルを一時的にＨｉｇｈとすることを特徴とする請求項１又は２に記載の放電装置。
【請求項４】
前記第３回路は、一端が電源に接続される第４抵抗と、一端が前記第４抵抗の他端と接続され他端がグランドに接続される第２コンデンサーと、前記第２制御信号が入力され前記第４抵抗と前記第２コンデンサーの間に接続される第１トランジスタと、前記第４抵抗と前記第２コンデンサーの間の電圧が入力され前記第３制御信号を出力するシュミットインバーターと、を含み、
前記バスパワーラインの電圧が前記基準電圧を超えている状態から前記基準電圧以下になったとき、
前記第２回路は、前記第２制御信号のレベルを、一時的にＬｏｗからＨｉｇｈに変化させ、
前記第１トランジスタは、前記第２制御信号のレベルがＨｉｇｈのとき、ＯＮ状態となって前記第２コンデンサーの電荷を抜き、
前記シュミットインバーターは、前記非放電レベルとしてＬｏｗを出力し、前記放電レベルとしてＨｉｇｈを出力し、前記第２制御信号のレベルが一時的にＬｏｗからＨｉｇｈに変化してから前記放電必要時間、Ｈｉｇｈを維持し、その後、前記第３制御信号のレベルをＬｏｗに戻すことを特徴とする請求項１乃至３の何れか１項に記載の放電装置。
【請求項５】
前記第４回路は、前記第３制御信号が入力され、前記バスパワーラインとグランドに接続される第２トランジスタを含み、
前記第３回路は、前記非放電レベルとしてＬｏｗを出力し、前記放電レベルとしてＨｉｇｈを出力し、
前記バスパワーラインの電圧が前記基準電圧を超えている状態から前記基準電圧以下になったとき、
前記第３回路は、前記放電必要時間、前記第３制御信号のレベルをＨｉｇｈで維持し、その後、前記第３制御信号のレベルをＬｏｗに戻し、
前記第２トランジスタは、前記第３制御信号がＨｉｇｈの間のみＯＮ状態となり、前記バスパワーラインの電荷をグランドに流すことを特徴とする請求項１乃至４の何れか１項に記載の放電装置。
【請求項６】
請求項１乃至５の何れか１項に記載の放電装置を含むことを特徴とする画像形成装置。
【請求項７】
前記ホスト側の前記バスパワーラインと接続され、前記ホストに前記デバイス側としてケーブルにより接続するためのデバイスコネクターと、
前記デバイスコネクターにより前記バスパワーラインと接続され、前記バスパワーラインの電圧値によって前記ホストと接続されているか否かを検知する検知回路と、を含み、
前記放電装置の前記第１回路と前記第４回路は、前記デバイスコネクターと前記検知回路の間の前記バスパワーラインに接続されることを特徴とする請求項６に記載の画像形成装置。
【発明の詳細な説明】
【技術分野】
【０００１】
本発明は、バスパワーラインに残る電荷を放電する放電装置に関する。また、この放電装置を含む画像形成装置に関する。
【背景技術】
【０００２】
通信機器の規格の中には、ホスト側の機器が、ホストに接続されたデバイスに電力供給するものがある。このような規格として、ＵＳＢ規格がある。ホスト側の機器とデバイスを接続することによりデバイスに電力が供給される。これにより、デバイスに別途電源を用意しなくても、デバイスを動作させることができる。
【０００３】
このようなホストによるデバイスへの電力供給に関する技術が特許文献１に記載されている。特許文献１には、ＵＳＢコネクターに接続されたＵＳＢ機器との間で接続ラインを介してデータを送受信するとともにＶＢＵＳラインを介して電源電圧を供給するＵＳＢホストポート（ＵＳＢコネクタ６）を含み、ＵＳＢ送受信部を介してＵＳＢ機器を制御し、電源電圧を検知し、ＶＢＵＳラインに接続されて電源電圧をオン・オフ制御するとともに電源電圧が所定電圧より低下したことを示す検知信号に基づいて電源電圧をオフする画像形成装置が記載されている。この構成により、装置の主電源がオフ／オン操作の際に瞬時にＶＢＵＳラインを介してＵＳＢ機器に供給される電源電圧がオフされた後オンされるようにして、ＩＣカードＲ／ＷのようなＵＳＢデバイスで異常通信状態の発生を防ぐ（特許文献１：請求項１、段落［０００４］、［０００９］等参照）。
【先行技術文献】
【特許文献】
【０００４】
【特許文献１】特開２０１１−１８３７０１号公報
【発明の概要】
【発明が解決しようとする課題】
【０００５】
ＵＳＢのようにホストがデバイスに電力供給を行う場合、ホスト側の機器のコネクターとデバイス側のコネクターにそれぞれ電源端子が設けられる。ホストとデバイスの接続によって電源端子同士が接続され、バスパワーラインがつながる。その結果、デバイスに電力が供給される。
【０００６】
ここで、ホスト側の機器で電源がＯＦＦされるとホスト側の電位が下がる。その結果、バスパワーラインに残る電荷がホスト側の機器内の回路に流れ込む場合がある。
【０００７】
セルフパワー型のデバイスは、バスパワーラインから電力供給を受ける必要がない。そのため、ホストとセルフパワー型のデバイスを接続している状態でホストの電源が落とされたとき、特に多くの電荷がバスパワーラインに残る。バスパワーラインの電荷がホストの内部回路にむけて流れ込み、不適切な方向での電流となると、ホストの内部回路に異常が生ずるおそれがあるという問題がある。
【０００８】
例えば、印刷用データの送信のため、ＰＣのＵＳＢホストにセルフパワー型のデバイスとしての画像形成装置を接続することがある。プリンター、複合機のような画像形成装置は、コンセントを介し商用電源と接続され、ＰＣからの電力供給はなくても、データの送受信を行える。そのため、ＰＣの主電源が落とされたとき、ＰＣと画像形成装置間のバスパワーラインに残る電荷がＰＣの内部に回り込む。
【０００９】
ここで、特許文献１記載の画像形成装置は、ＵＳＢホストとして動作するものである。そのため、検知信号に基づいてＶＢＵＳラインを介して電源電圧をＯＦＦしても、デバイスとのバスパワーラインに残る電荷が特許文献１記載の画像形成装置の内部回路に流れ込むおそれがある。このように、特許文献１には、ホストの保護が考慮されておらず、上記の問題を解決することはできない。
【００１０】
本発明は、上記従来技術の問題点に鑑み、ホスト側の機器で電源が落とされたとき、バスパワーラインに残る電荷がホスト側の機器に流れ込むことを防ぎ、ホストを保護する。
【課題を解決するための手段】
【００１１】
上記課題解決のため、請求項１に係る放電装置は、第１回路、第２回路、第３回路、第４回路を含む。前記第１回路は、ホストから前記ホストに接続されたデバイスに電力を供給するためのバスパワーラインに接続され、第１制御信号を出力し、前記バスパワーラインの電圧が予め定められた供給電圧範囲の下限値以下の電圧値であって予め定められた基準電圧以下であるときと無いときとで前記第１制御信号のレベルを変化させる。前記第２回路は、前記第１制御信号が入力され、第２制御信号を出力し、前記バスパワーラインの電圧が前記基準電圧を超えているときのレベルから前記基準電圧以下のときのレベルに前記第１制御信号のレベルが変化したとき前記第２制御信号の一時的なレベル変化を行う。前記第３回路は、前記第２制御信号が入力され、第３制御信号を出力し、前記第２制御信号の前記一時的なレベル変化があったとき前記第３制御信号のレベルを非放電レベルから放電レベルに変化させ少なくとも前記バスパワーラインの電荷を抜くのに必要な放電必要時間は前記放電レベルを維持し、その後、前記第３制御信号のレベルを前記非放電レベルに戻す。前記第４回路は、前記バスパワーラインに接続され、前記第３制御信号が入力され、前記第３制御信号が前記放電レベルの間、前記バスパワーラインの電荷を放電する。
【発明の効果】
【００１２】
本発明によれば、ホスト側の機器で電源が落とされたとき、バスパワーラインに残る電荷がホスト側に流れ込むことを防ぐことができる。従って、異常や故障からホストの内部回路を保護することができる。
【図面の簡単な説明】
【００１３】
【図１】実施形態に係るプリンターの一例を示す図である。
【図２】実施形態に係るプリンターとホスト機器との接続の一例を示す図である。
【図３】実施形態に係る放電装置の一例を示す図である。
【図４】情報処理装置の電源ＯＦＦしたときの実施形態に係る放電装置の動作の流れの一例を示すタイミングチャートである。
【発明を実施するための形態】
【００１４】
以下、図１〜図４を用いて本発明の実施形態を説明する。以下の説明では第１回路１、第２回路２、第３回路３、第４回路４を備えた放電装置１００を含むプリンター１０１（画像形成装置に相当）を例に挙げて説明する。但し、本実施の形態に記載されている構成、配置等の各要素は、発明の範囲を限定するものではなく単なる説明例にすぎない。
【００１５】
（画像形成装置の概略）
次に、図１に基づき、実施形態に係るプリンター１０１の概略を説明する。図１は、実施形態に係るプリンター１０１の一例を示す図である。
【００１６】
プリンター１０１内に、制御部５（制御基板）が設けられる。制御部５は、プリンター１０１の動作を制御する。制御部５は、ＳｏＣ５１（Ｓｙｓｔｅｍ−ｏｎ−ａ−ｃｈｉｐ）を含む。ＳｏＣ５１は、従来、基板内に配されていたＣＰＵやＡＳＩＣのような複数の回路、チップを１チップにまとめた集積回路である。ＳｏＣ５１は、制御回路５１ａ、演算回路５１ｂ、画像処理回路５１ｃを含む。尚、全体制御や画像処理を行うメイン制御部と、印刷部７を実際に制御するエンジン制御部のように制御部５を分割してもよい。
【００１７】
制御回路５１ａは、記憶部５２に記憶されるプログラム、データに基づきプリンター１０１の各部の制御を行う。演算回路５１ｂは、記憶部５２に記憶されるプログラム、データに基づき、各種の演算処理を行う。画像処理回路５１ｃは、コンピューター４００での印刷の設定内容（設定データ）に応じて、濃度変換や拡大、縮小のような画像処理を印刷に用いる画像データに施す。
【００１８】
記憶部５２は、ＲＯＭ５３、ＲＡＭ５４、ＨＤＤ５５を含む。記憶部５２は、不揮発性と揮発性の記憶装置を組み合わせである。記憶部５２は、プリンター１０１の制御用の各種のプログラムやデータ、設定データ、画像データのような各種データを記憶する。
【００１９】
プリンター１０１は、プリンター１０１の状態や各種メッセージや各種設定画面を表示する表示パネルや設定操作用の複数のハードキーを含む操作パネル６を含む。制御部５は、操作パネル６での表示を制御する。また、制御部５は、操作パネル６の設定操作内容を認識し、使用者の設定にあわせてプリンター１０１を制御する。
【００２０】
又、プリンター１０１は、印刷部７を含む。印刷部７は、給紙部７ａ、搬送部７ｂ、画像形成部７ｃ、定着部７ｄを含む。制御部５は、給紙部７ａ、搬送部７ｂ、画像形成部７ｃ、定着部７ｄの動作を制御して、給紙、用紙搬送、トナー像の形成、転写、定着のような印刷関連処理を制御する。
【００２１】
具体的に、給紙部７ａは、複数の用紙を収容する。印刷ジョブを実行するとき、給紙部７ａは、用紙を１枚ずつ搬送部７ｂに送り込む。搬送部７ｂは、給紙部７ａから供給された用紙を搬送する。画像形成部７ｃは、画像データに基づきトナー像を形成し、搬送される用紙にトナー像を転写する。定着部７ｄは、用紙に転写されたトナー像を定着させる。搬送部７ｂは、トナー定着後の用紙を機外に排出する。印刷済の用紙は、排出トレイ（不図示）に排出される。
【００２２】
また、プリンター１０１には、ネットワーク３００通信用の各種ソケット、チップを備えた通信部５６が設けられる。制御部５の基板に通信部５６が搭載される（別基板としてもよい）。通信部５６はＬＡＮのようなネットワーク３００と通信可能に接続される。また、通信部５６は、ＰＣやサーバーのようなコンピューター４００とネットワーク３００を介してデータの送受信を行える。通信部５６は、コンピューター４００から送信された印刷用データ（画像データのような印刷を行うデータや印刷の設定データを含むデータ）を受信する。制御部５は、印刷用データに基づき、印刷部７に印刷を行わせる。
【００２３】
（画像形成装置とホスト機器との接続）
次に、図２を用いて、実施形態に係るデバイスとホスト機器との接続を説明する。図２は、実施形態に係るプリンター１０１とホスト機器との接続の一例を示す図である。
【００２４】
本実施形態の説明では、ＵＳＢ規格に準拠して、デバイスとしてのプリンター１０１とホスト機器としての情報処理装置２００を接続する例を説明する。つまり、ＵＳＢにより、ホストとしての情報処理装置２００と、デバイスとしてのプリンター１０１を接続する例を説明する。
【００２５】
情報処理装置２００は、パーソナルコンピューターである。情報処理装置２００は、ＣＰＵ２０１ａを備えた処理部２０１（メイン制御基板）や、ＨＤＤやＲＡＭやＲＯＭで構成される記憶装置２０２、キーボードやマウスのような入力装置２０３、ディスプレイ２０４、ホストコントローラー２０５、ホストコネクター２０６、電源回路２０７を含む。
【００２６】
ホストコントローラー２０５は、デバイスとデータ通信を行うための部分（ＩＣ）である。また、情報処理装置２００には、プリンター１０１のようなデバイスとの接続のためにホストコネクター２０６が設けられる。ホストコントローラー２０５は、ＵＳＢの規格に基づきデバイス（プリンター１０１）と処理部２０１との間の通信制御を行う。ホストコントローラー２０５は、処理部２０１と通信可能に接続される。なお、ホストコントローラー２０５は、処理部２０１に実装（内蔵）されてもよい。ホストコントローラー２０５は、デバイス（プリンター１０１）との通信の主導権を握る。ホストコントローラー２０５は、通信相手のデバイスにデータ信号線（データバス）の使用権を与え、使用権を与えたデバイスと通信を行う。
【００２７】
また、ホストコントローラー２０５は、ホストコネクター２０６へのデバイスの接続検出、デバイスの通信速度検知のような処理を行う。ホストコントローラー２０５は、ホストコネクター２０６へのデバイス接続の検出を処理部２０１に通知する。また、デバイスの通信速度を検知したとき、ホストコントローラー２０５は、処理部２０１にデバイスの通信速度を通知する。
【００２８】
ホストコネクター２０６は、露出する。この露出したホストコネクター２０６にケーブル５００が差し込まれる。ホストコネクター２０６には、デバイスが直接、又は、ケーブル５００が接続される。プリンター１０１のようなデバイスは、両端にコネクターが設けられたケーブル５００が、ホストコネクター２０６とデバイス側のコネクターにそれぞれ接続される。
【００２９】
一方、デバイスとしてのプリンター１０１は、ＳｏＣ５１、デバイスコントローラー５７（検知回路に相当）、デバイスコネクター５８、１次電源装置５９ａ、２次電源装置５９ｂを含む。
【００３０】
デバイスコントローラー５７は、ホスト（情報処理装置２００）とデータ通信を行うための部分（ＩＣ）である。また、プリンター１０１には、ケーブル５００を用いてホストと接続するために、デバイスコネクター５８が設けられる。デバイスコントローラー５７は、ＵＳＢの規格に基づき、ホストコントローラー２０５（処理部２０１）とＳｏＣ５１との間の通信制御を行う。デバイスコントローラー５７は、ＳｏＣ５１と通信可能に接続される。デバイスコントローラー５７は、制御部５（制御基板）に実装される。
【００３１】
デバイスコネクター５８は、露出する。この露出したデバイスコネクター５８に一端がホストコネクター２０６に接続されたケーブル５００が差し込まれる。これにより、ホストとデバイスが通信可能に接続される。デバイスコントローラー５７は、デバイスコントローラー５７へのホストの接続を検出する。デバイスコントローラー５７は、ホスト接続の検出をＳｏＣ５１に通知する。
【００３２】
各コネクター（ホストコネクター２０６、デバイスコネクター５８）、ケーブル５００は、ＵＳＢ規格に基づいた形状である。各コネクター、ケーブル５００は、ＵＳＢ規格に基づいた端子を有する。具体的に、ＵＳＢ規格は、シリアル通信方式であり、差動信号を用いてデータの通信を行う。このデータ通信のため、各コネクターは、Ｄ＋とＤ−の２つの端子を少なくとも有する。ケーブル５００を用いてホストとデバイスを接続するとき、ケーブル５００内のＤ＋とＤ−の信号線が、各コネクターのＤ＋とＤ−の端子をつなぐ。なお、図２では簡略化して、データ信号線を１本の実線で図示している。
【００３３】
処理部２０１及びホストコントローラー２０５は、接続されたデバイスを認識する。ＵＳＢ規格の各デバイスは、デバイスに関する様々な情報が記されたデバイスコード５５ａ（ディスクリプタ）を記憶する（図１参照）。具体的に、デバイスコード５５ａには、デバイスのクラス、サブクラス、プロトコル、ベンダーＩＤ、プロダクトＩＤ、最大消費電力、デバイスの属性、転送で利用可能な最大パケット長、転送のインターバルなどが記載される。デバイスコントローラー５７がホストの接続を認識したとき、ＳｏＣ５１は、デバイスコントローラー５７にデバイスコード５５ａを与える。そして、デバイスコントローラー５７は、ホストコントローラー２０５にデバイスコード５５ａを送信する。その結果、情報処理装置２００（処理部２０１）は、ホストコントローラー２０５からディスクリプタを得る。処理部２０１は、デバイスコード５５ａに記載された情報に基づき、接続されたデバイスがプリンター１０１であることを認識する。
【００３４】
このようなやりとりを経て、ホストとデバイス間の通信が確立する。ホストコントローラー２０５は、デバイスから受信したデータを処理部２０１に転送する。これにより、処理部２０１は、デバイスから受信したデータを認識する。また、処理部２０１は、通信相手（何れかのデバイス）の指定や動作命令を含むデータを生成し、ホストコントローラー２０５に送る。ホストコントローラー２０５は、処理部２０１により指定されたデバイスにデータを転送する。
【００３５】
一方、デバイスコントローラー５７は、受信したデータをＳｏＣ５１に転送する。これにより、ＳｏＣ５１は、ホストから受信したデータを認識する。また、ＳｏＣ５１は、ホストからの命令に応じたデータを生成し、デバイスコントローラー５７に送る。デバイスコントローラー５７は、ホスト（ホストコントローラー２０５）にデータを転送する。
【００３６】
次に、実施形態に係るプリンター１０１での電力供給を説明する。
【００３７】
図２では、デバイスへの電力供給経路を破線で示している。そして、ホストコネクター２０６に接続されたデバイスに対しての電圧を生成し、電力供給を行う部分として、情報処理装置２００内に電源回路２０７が設けられる。
【００３８】
電源回路２０７が生成した電圧（電力）は、ホストコントローラー２０５、ホストコネクター２０６に供給（入力）される。ＵＳＢ規格では、電源に関するラインとしてＶｂｕｓ（５Ｖ）とＧＮＤがある。このため、各コネクター（ホストコネクター２０６、デバイスコネクター５８）とケーブル５００は、電源用の端子としてＶｂｕｓとＧＮＤの２つの端子を有する。各コネクターのＶｂｕｓとＧＮＤの端子は、ケーブル５００のＶｂｕｓとＧＮＤを介して接続される。具体的に、ホストコネクター２０６とデバイスコネクター５８をケーブル５００で接続したとき、ケーブル５００内のＶｂｕｓとＧＮＤの２つの電源用端子と各コネクターのＶｂｕｓとＧＮＤの端子が接触する。これにより、ホストの電源回路２０７からデバイスコントローラー５７までのバスパワーライン８がつながる。尚、図３では簡略化して、電源ラインを破線で図示している。
【００３９】
ここで、実施形態に係るプリンター１０１では、デバイスコントローラー５７は、情報処理装置２００（電源回路２０７）から供給される電力ではなく、プリンター１０１内で生成した電力を用いて動作する。つまり、デバイスコントローラー５７の動作にバスパワーライン８から電力は不要である。言い換えると、実施形態に係るデバイスコントローラー５７（プリンター１０１）は、セルフパワー方式である。
【００４０】
デバイスコントローラー５７にバスパワーライン８（Ｖｂｕｓ）を接続するのは、デバイスコネクター５８にホストが接続されたことを認識するためである。デバイスコントローラー５７は、バスパワーライン８（Ｖｂｕｓ）の電圧値が一定値以上となったとき、ホストとの接続がなされたと認識する。
【００４１】
ＳｏＣ５１やデバイスコントローラー５７を動作させるため、プリンター１０１には、一次電源装置５９ａ、２次電源装置５９ｂが設けられる。一次電源装置５９ａは電源コード（不図示）で商用電源（コンセント）に接続される。一次電源装置５９ａは、商用電源から供給される交流電圧を整流、降圧し、プリンター１０１内に設けられるモーターの駆動用の直流電圧（例えば、ＤＣ２４Ｖ）を生成する。２次電源装置５９ｂは、一次電源装置５９ａから供給された電圧を降圧する電力変換回路を複数含む。例えば、２次電源装置５９ｂは、それぞれ生成電圧の大きさが異なる複数のＤＣＤＣコンバーターを含む。２次電源装置５９ｂは、制御部５で使用する複数種の電源（制御部５を動作させるのに必要な複数種の電圧）を生成する。２次電源装置５９ｂが生成した電圧（電力）は、ＳｏＣ５１とデバイスコントローラー５７に供給（入力）される。これにより、ＳｏＣ５１、デバイスコントローラー５７が動作する。また、後述の電源Ｖｃｃ１、電源Ｖｃｃ２も複数のＤＣＤＣコンバーターのいずれかから供給される。
【００４２】
（放電装置１００）
次に、図２、図３を用いて、実施形態に係る放電装置１００を説明する。図３は、実施形態に係る放電装置１００の一例を示す図である。
【００４３】
ケーブル５００によって、プリンター１０１（デバイスコネクター５８）と情報処理装置２００（ホストコネクター２０６）を接続している状態で、情報処理装置２００の電源が切られることがある。これにより、電源回路２０７もＯＦＦされる。情報処理装置２００の電源が切られると、ホストコネクター２０６の電位が下がる（グランドレベルとなる）。
【００４４】
このとき、バスパワーライン８に残る電荷が情報処理装置２００に回り込む（流れ込む）ことがある。特に、本実施形態のプリンター１０１では、デバイスコントローラー５７は、バスパワーライン８を用いないセルフパワー方式である。そのため、多くの電荷がバスパワーライン８に残る。また、プリンター１０１の主電源（２次電源装置５９ｂ）が切られていない状態では、電位がプリンター１０１（デバイスコントローラー５７）側の方が高い。そのため、バスパワーライン８に残る電荷はプリンター１０１側に流れ込まず、電位が下がった情報処理装置２００方向に移動する。これにより、情報処理装置２００では、電源が入っていない状態で流れてはいけない部分に電流が流れ、情報処理装置２００の内部回路に異常が生ずるおそれがある。
【００４５】
そこで、実施形態に係るプリンター１０１には、放電装置１００が設けられる。放電装置１００は、第１回路１、第２回路２、第３回路３、第４回路４を含む。そして、第１回路１と第４回路４がバスパワーライン８に接続される。第１回路１、第２回路２、第３回路３、第４回路４はいずれもマイコンを含まない。
【００４６】
次に、図３を用いて、第１回路１、第２回路２、第３回路３、第４回路４を説明する。
【００４７】
上述したように、第１回路１は、バスパワーライン８に接続される。そして、第１回路１は、第１制御信号Ｓ１を出力する。第１回路１は、バスパワーライン８の電圧が基準電圧Ｖｒｅｆ以下であるときと無いときとで第１制御信号Ｓ１のレベルを変化させる。言い換えると、情報処理装置２００の電源ＯＦＦによるバスパワーライン８の電圧の立ち下がりを検知する。
【００４８】
具体的に、第１回路１は、コンパレーター１１、基準電圧生成回路１２、ヒステリシス抵抗１３を含む。コンパレーター１１のプラス入力端子には基準電圧Ｖｒｅｆが入力される。コンパレーター１１のマイナス入力端子はバスパワーライン８に接続される。そして、コンパレーター１１は、第１制御信号Ｓ１を出力する。コンパレーター１１は、バスパワーライン８の電圧が基準電圧Ｖｒｅｆ以下のときＨｉｇｈを第１制御信号Ｓ１として出力する。コンパレーター１１は、バスパワーライン８の電圧が基準電圧Ｖｒｅｆを超えているときＬｏｗを第１制御信号Ｓ１として出力する。
【００４９】
基準電圧生成回路１２は、２次電源装置５９ｂから供給される電源Ｖｃｃ１と第１抵抗Ｒ１と第２抵抗Ｒ２の直列回路を含む。図３に示すように、第１抵抗Ｒ１と第２抵抗Ｒ２の一端同士が接続される。第１抵抗Ｒ１の他端に電源Ｖｃｃ１（例えば、ＤＣ５Ｖ）が接続される。第２抵抗Ｒ２の他端にグランドが接続される。第１抵抗Ｒ１と第２抵抗Ｒ２の間の電圧（第１抵抗Ｒ１と第２抵抗Ｒ２の間に設けられる接続点の電圧）が基準電圧Ｖｒｅｆとして取り出される。なお、基準電圧生成回路１２は、ツェナーダイオードのような他の素子を用いた回路でもよいし、ＳｏＣ５１の生成電圧をコンパレーター１１のプラス端子に入力してもよい。
【００５０】
基準電圧Ｖｒｅｆは、予め定められ、バスパワーライン８の電圧が仕様上の供給電圧範囲の下限値以下の電圧値とされる。ＵＳＢ規格では、バスパワーライン８の供給電圧範囲は、４．７５〜５．２５Ｖや、４．４〜５．２５Ｖとされる。つまり、下限値は、４．７５Ｖや４．４Ｖとされることがある。基準電圧Ｖｒｅｆは、下限値と同じ値、若しくは、下限値よりも小さい値とすることができる。本実施形態のプリンター１０１では、基準電圧Ｖｒｅｆは、４．７５Ｖや４．４Ｖ（下限値と同じ値）とできる。そして、基準電圧Ｖｒｅｆとなるように、分圧比を考慮して、第１抵抗Ｒ１と第２抵抗Ｒ２の抵抗値がそれぞれ定められる。
【００５１】
第２回路２には、第１制御信号Ｓ１が入力される。そして、第２回路２は、第２制御信号Ｓ２を出力する。第２回路２は、バスパワーライン８の電圧が基準電圧Ｖｒｅｆを超えている状態から基準電圧Ｖｒｅｆ以下に変化したとき、第２制御信号Ｓ２の一時的なレベル変化を行う。言い換えると、情報処理装置２００の電源ＯＦＦによるバスパワーライン８の電圧の立ち下がりが検知されたとき、第２回路２は、一時的に第２制御信号Ｓ２のレベルを変化させる。
【００５２】
具体的に、第２回路２は、ＡＮＤ回路２１、インバーター２２、第３抵抗Ｒ３、第１コンデンサーＣ１を含む。ＡＮＤ回路２１は、第２制御信号Ｓ２を出力する。インバーター２２は、第１制御信号Ｓ１が入力される。第３抵抗Ｒ３の一端は、インバーター２２の出力が接続される。第３抵抗Ｒ３の他端は、第１コンデンサーＣ１の一端と接続される。第１コンデンサーＣ１の他端は、グランドに接続される（図３参照）。
【００５３】
そして、ＡＮＤ回路２１の入力端子の一方には、第１コンデンサーＣ１の端子間電圧Ｖ１（第３抵抗Ｒ３と第１コンデンサーＣ１の間に設けられる接続点の電圧）が入力される。バスパワーライン８の電圧が基準電圧Ｖｒｅｆを超えている状態（第１制御信号Ｓ１がＬｏｗの状態）のとき、インバーター２２の出力はＨｉｇｈとなる。そのため、バスパワーライン８の電圧が基準電圧Ｖｒｅｆを超えている状態では、第１コンデンサーＣ１に電荷が蓄えられる。その結果、バスパワーライン８の電圧が基準電圧Ｖｒｅｆ以上の状態では、ＡＮＤ回路２１の一方の端子にＨｉｇｈが入力される。
【００５４】
ＡＮＤ回路２１の入力端子の他方には、第１制御信号Ｓ１が入力される。バスパワーライン８の電圧が基準電圧Ｖｒｅｆ以下になったことに応じて第１制御信号Ｓ１のレベルがＨｉｇｈに変化すると、インバーター２２の出力がＬｏｗとなる。その結果、第１コンデンサーＣ１の端子間電圧Ｖ１が降下を始める。第１コンデンサーＣ１の端子間電圧Ｖ１の降下開始後、ＡＮＤ回路２１が両方の入力端子がＨｉｇｈと認識している間だけ（端子間電圧Ｖ１の電圧値がＡＮＤ回路２１の判定用閾値（一定値に相当）を超えている間だけ）、第２制御信号Ｓ２が一時的にＨｉｇｈとなる。
【００５５】
第２制御信号Ｓ２が一時的にＨｉｇｈとなる時間は、第３抵抗Ｒ３と第１コンデンサーＣ１の時定数を調整することにより、長くしたり短くしたりすることができる。
【００５６】
次に、第３回路３について説明する。第３回路３には、第２制御信号Ｓ２が入力される。また、第３回路３は、第３制御信号Ｓ３を出力する。第３回路３は、第２制御信号Ｓ２の一時的なレベル変化があったとき、第３制御信号Ｓ３のレベルを非放電レベルから放電レベルに変化させる。そして、第３回路３は、少なくともバスパワーライン８の電荷を抜くのに必要な放電必要時間Ｔ１、放電レベルを維持する。その後、第３回路３は、第３制御信号Ｓ３のレベルを非放電レベルに戻す。ここで、非放電レベルは、第４回路４に放電を行わせないときの第３制御信号Ｓ３のレベルである。放電レベルは、第４回路４に放電を行わせるときの第３制御信号Ｓ３のレベルである。
【００５７】
具体的に、第３回路３は、第１トランジスタＴｒ１と、シュミットインバーター３１、第４抵抗Ｒ４、第２コンデンサーＣ２を含む。シュミットインバーター３１は、第３制御信号Ｓ３を出力する。
【００５８】
第３回路３は、第４抵抗Ｒ４と第２コンデンサーＣ２の直列回路を含む。直列回路の一端は、２次電源装置５９ｂから供給される電源Ｖｃｃ２（例えば、ＤＣ５Ｖ）に接続される。直列回路の他端は、グランドに接続される。
【００５９】
一方、第１トランジスタＴｒ１は、ｎｐｎ型のバイポーラトランジスタである。第１トランジスタＴｒ１のベースには、第２制御信号Ｓ２が入力される。第１トランジスタＴｒ１のエミッタはグランドに接続される。第１トランジスタＴｒ１のコレクタは、第４抵抗Ｒ４と第２コンデンサーＣ２の間に接続される。そのため、第１トランジスタＴｒ１がＯＮすると、第２コンデンサーＣ２の端子間電圧Ｖ２（第４抵抗Ｒ４と第２コンデンサーＣ２の間に設けられる接続点の電圧）はグランドレベル（０Ｖ）となる。一方、第１トランジスタＴｒ１がＯＦＦしている状態では、第２コンデンサーＣ２の端子間電圧Ｖ２は電源Ｖｃｃ２の電圧と同じとなる。
【００６０】
バスパワーライン８の電圧が基準電圧Ｖｒｅｆを超えている状態から基準電圧Ｖｒｅｆ以下になったことにより、一時的に第２制御信号Ｓ２が、一時的にＬｏｗからＨｉｇｈに変化したとき、第１トランジスタＴｒ１は、ＯＮ状態となる。その結果、第４抵抗Ｒ４と第２コンデンサーＣ２の間に設けられる接続点がグランドに接続された状態となり、第２コンデンサーＣ２の電荷が抜かれる。その結果、端子間電圧Ｖ２は降下する。
【００６１】
シュミットインバーター３１の入力端子には、端子間電圧Ｖ２が入力される。端子間電圧Ｖ２の降下に伴って、第３制御信号Ｓ３は、Ｌｏｗ（非放電レベル）からＨｉｇｈ（放電レベル）に変化する。そして、第２制御信号Ｓ２の一時的な変化が収まり（Ｌｏｗに戻り）、第１トランジスタＴｒ１がＯＦＦ状態となった後、第２コンデンサーＣ２の端子間電圧Ｖ２（電圧）が回復すると、第３制御信号Ｓ３は、ＨｉｇｈからＬｏｗに変化する。
【００６２】
ここで、第４抵抗Ｒ４と第２コンデンサーＣ２の時定数を調整することにより、第３制御信号Ｓ３がＨｉｇｈを保つ時間を調整することができる。シュミットインバーター３１は、少なくともバスパワーライン８から電荷を抜くのに必要な時間（放電必要時間Ｔ１）、Ｈｉｇｈ（放電レベル）を保つ。放電完了後、第３回路３（シュミットインバーター３１）は、第３制御信号Ｓ３のレベルをＬｏｗ（非放電レベル）に戻す。これにより、放電必要時間Ｔ１だけ放電が行われる。そして、情報処理装置２００の電源ＯＮによってバスパワーライン８の電圧の上昇時、及び、上昇後、情報処理装置２００の電源回路２０７がバスパワーライン８用の電圧を出力している間、放電はなされない。
【００６３】
次に、第４回路４について説明する。第４回路４には、第３制御信号Ｓ３が入力される。また、第４回路４は、バスパワーライン８に接続される。そして、第４回路４は、第３制御信号Ｓ３が放電レベルの間、バスパワーライン８に残る電荷を放電する。
【００６４】
具体的に、第４回路４は、第２トランジスタＦｔ１、電流制限抵抗４１、安定動作用抵抗４２、安定動作用抵抗４３を含む。第２トランジスタＦｔ１は、ｎチャネル型のＦＥＴである。第２トランジスタＦｔ１のドレインは、電流制限抵抗４１を介して、バスパワーライン８に接続される。第２トランジスタＦｔ１のソースは、グランドに接続される。第２トランジスタＦｔ１のゲートには、安定動作用抵抗４２を介して、第３制御信号Ｓ３が入力される。
【００６５】
基準電圧Ｖｒｅｆを超えている状態から基準電圧Ｖｒｅｆ以下へのバスパワーライン８の電圧変化によって、第３制御信号Ｓ３のレベルが非放電レベルから放電レベル（Ｈｉｇｈ）に変化したとき、第２トランジスタＦｔ１がＯＮ状態となる。ＯＮ状態は、放電必要時間Ｔ１続く。この間にバスパワーライン８の電荷が放電される（プリンター１０１のグランドに流される）。放電必要時間Ｔ１の経過後、第３制御信号Ｓ３のレベルが非放電レベル（Ｌｏｗ）に復帰するのに伴い、第２トランジスタＦｔ１はＯＦＦ状態となる。
【００６６】
（情報処理装置２００の電源ＯＦＦ時の流れ）
次に、図４を用いて、情報処理装置２００の電源ＯＦＦしたときの実施形態に係る放電装置１００の動作の流れを説明する。図４は、情報処理装置２００の電源ＯＦＦしたときの実施形態に係る放電装置１００の動作の流れの一例を示すタイミングチャートである。
【００６７】
図４のタイミングチャートでは、最初、情報処理装置２００の電源がＯＮされている状態を示している。この時点では、バスパワーライン８の電圧は基準電圧Ｖｒｅｆよりも高いので、第１制御信号Ｓ１のレベルはＬｏｗである。また、第２制御信号Ｓ２のレベルもＬｏｗである。第３制御信号Ｓ３のレベルもＬｏｗであり、第２トランジスタＦｔ１はＯＦＦとされる。そのため、放電装置１００はバスパワーライン８の放電を全く行わない。
【００６８】
図４において、最上段のチャートは、情報処理装置２００の電源のＯＮ／ＯＦＦの状態を示す。２段目のチャートは、バスパワーライン８の電圧推移の一例を示す。３段目のチャートは、第１制御信号Ｓ１のレベル変化の一例を示す。４段目のチャートは、第２回路２のインバーター２２の出力レベル変化の一例を示す。５段目のチャートは、第１コンデンサーＣ１の端子間電圧Ｖ１（第１コンデンサーＣ１と第３抵抗Ｒ３の間に設けられる接続点の電圧）の変化の一例を示す。６段目のチャートは、第２制御信号Ｓ２のレベル変化の一例を示す。７段目のチャートは、第２コンデンサーＣ２の端子間電圧Ｖ２（第２コンデンサーＣ２と第４抵抗Ｒ４の間に設けられる接続点の電圧）の変化の一例を示す。８段目のチャートは、第３制御信号Ｓ３のレベル変化の一例を示す。
【００６９】
図４のうち、ｔ１の時点が情報処理装置２００の電源がＯＦＦされた時点（電源が落とされた時点、電源回路２０７が停止した時点）を示している。図４において、情報処理装置２００の電源のＯＮ／ＯＦＦの状態を最上段に示している。そして、図４のうち、ｔ２の時点がバスパワーライン８の電圧が基準電圧Ｖｒｅｆ（下限値）以下となった時点である。
【００７０】
ここで、２段目のチャートでは、放電装置１００が放電を行わない場合のバスパワーライン８の電圧の推移の一例を２点鎖線で示している。このように、放電装置１００による対策が無い場合、電源が切られた情報処理装置２００の回路に長時間にわたって電圧が印加される。
【００７１】
バスパワーライン８の電圧が基準電圧Ｖｒｅｆ以下になると、第１制御信号Ｓ１がＬｏｗからＨｉｇｈに変化する（３段目のチャート参照）。これに伴い、第２制御信号Ｓ２がＨｉｇｈからＬｏｗに変化する（４段目のチャート参照）。
【００７２】
第２制御信号Ｓ２がＬｏｗとなった結果、第１コンデンサーＣ１の電荷が抜かれはじめ、第１コンデンサーＣ１の端子間電圧Ｖ１が徐々に低下する（５段目のチャート参照）。一方で、ＡＮＤ回路２１は、一時的に第２制御信号Ｓ２のレベルをＨｉｇｈとする（６段目のチャート参照）。
【００７３】
第２制御信号Ｓ２がＨｉｇｈになると、第１トランジスタＴｒ１がＯＮする。第１トランジスタＴｒ１は、第２コンデンサーＣ２の電荷を瞬間的に抜く。第２コンデンサーＣ２の端子間電圧Ｖ２は降下する（７段目のチャート参照）。その結果、第３制御信号Ｓ３（シュミットインバーター３１の出力）のレベルは、ＬｏｗからＨｉｇｈ（放電レベル）に変化する（８段目のチャート参照）。この放電レベルの間、第４回路４は、バスパワーライン８の電荷を抜く。その結果、バスパワーライン８の電圧が十分に下がる（２段目のチャート、ｔ３の時点参照）。第３制御信号Ｓ３がＨｉｇｈを維持する時間（放電必要時間Ｔ１）は、バスパワーライン８の放電が完了するまでに十分な時間とされる。
【００７４】
バスパワーライン８の放電が完了すると、第３制御信号Ｓ３のレベルがＬｏｗに戻る。これにより、第４回路４は、バスパワーライン８の放電を停止する。
【００７５】
このようにして、実施形態に係る放電装置１００は、ホスト（情報処理装置２００）からホストに接続されたデバイスに電力を供給するためのバスパワーライン８に接続され、第１制御信号Ｓ１を出力し、バスパワーライン８の電圧が予め定められた供給電圧範囲の下限値以下の電圧値であって予め定められた基準電圧Ｖｒｅｆ以下であるときと無いときとで第１制御信号Ｓ１のレベルを変化させる第１回路１と、第１制御信号Ｓ１が入力され、第２制御信号Ｓ２を出力し、バスパワーライン８の電圧が基準電圧Ｖｒｅｆを超えているときのレベルから基準電圧Ｖｒｅｆ以下のときのレベルに第１制御信号Ｓ１のレベルが変化したとき第２制御信号Ｓ２の一時的なレベル変化を行う第２回路２と、第２制御信号Ｓ２が入力され、第３制御信号Ｓ３を出力し、第２制御信号Ｓ２の一時的なレベル変化があったとき第３制御信号Ｓ３のレベルを非放電レベルから放電レベルに変化させ少なくともバスパワーライン８の電荷を抜くのに必要な放電必要時間Ｔ１は放電レベルを維持し、その後、第３制御信号Ｓ３のレベルを非放電レベルに戻す第３回路３と、バスパワーライン８に接続され、第３制御信号Ｓ３が入力され、第３制御信号Ｓ３が放電レベルの間、バスパワーライン８の電荷を放電する第４回路４を含む。
【００７６】
これにより、ホストの電源ＯＦＦに基づくバスパワーライン８の電圧の立ち下がりを検知することができる。そして、立ち下がり検知に応じ、バスパワーライン８に残る電荷を速やかに放電することができる。従って、ホスト側の回路に向けてバスパワーライン８の電荷が回り込むことを避けることができる。そして、ホストの内部の回路を保護することができる。
【００７７】
また、第１回路１は、第１制御信号Ｓ１を出力するコンパレーター１１と、電源Ｖｃｃ１と一端に電源Ｖｃｃ１が接続される第１抵抗Ｒ１と一端が第１抵抗Ｒ１の他端と接続され他端がグランドに接続される第２抵抗Ｒ２とを含み第１抵抗Ｒ１と第２抵抗Ｒ２の間の電圧を基準電圧Ｖｒｅｆとして出力する基準電圧生成回路１２を含む。コンパレーター１１は、マイナス入力端子にバスパワーライン８が接続され、プラス入力端子に基準電圧Ｖｒｅｆが入力され、バスパワーライン８の電圧が基準電圧Ｖｒｅｆ以下のとき、第１制御信号Ｓ１のレベルをＨｉｇｈとする。
【００７８】
また、第２回路２は、第２制御信号Ｓ２を出力するＡＮＤ回路２１と、第１制御信号Ｓ１が入力されるインバーター２２と、一端がインバーター２２の出力と接続される第３抵抗Ｒ３と、一端が第３抵抗Ｒ３の他端に接続され他端がグランドに接続される第１コンデンサーＣ１を含む。ＡＮＤ回路２１は、一方の入力端子に第１制御信号Ｓ１が入力され、他方の入力端子に第１コンデンサーＣ１の端子間電圧Ｖ１（第３抵抗Ｒ３と第１コンデンサーＣ１の間に設けられる接続点の電圧）が入力される。バスパワーライン８の電圧が基準電圧Ｖｒｅｆを超えている状態から基準電圧Ｖｒｅｆ以下になったとき、第１回路１は、第１制御信号Ｓ１のレベルをＬｏｗからＨｉｇｈに変化させる。また、ＡＮＤ回路２１は、第１制御信号Ｓ１のレベルがＨｉｇｈであり、かつ、第１コンデンサーＣ１の端子間電圧Ｖ１が一定値以上である間、第２制御信号Ｓ２のレベルを一時的にＨｉｇｈとする。
【００７９】
また、第３回路３は、一端が電源に接続される第４抵抗Ｒ４と、一端が第４抵抗Ｒ４の他端と接続され他端がグランドに接続される第２コンデンサーＣ２と、第２制御信号Ｓ２が入力され第４抵抗Ｒ４と第２コンデンサーＣ２の間に接続される第１トランジスタＴｒ１と、第２コンデンサーＣ２の端子間電圧Ｖ２（第４抵抗Ｒ４と第２コンデンサーＣ２の間に設けられる接続点の電圧）が入力され第３制御信号Ｓ３を出力するシュミットインバーター３１と、を含む。バスパワーライン８の電圧が基準電圧Ｖｒｅｆを超えている状態から基準電圧Ｖｒｅｆ以下になったとき、第２回路２は、第２制御信号Ｓ２のレベルを、一時的にＬｏｗからＨｉｇｈに変化させる。第１トランジスタＴｒ１は、第２制御信号Ｓ２のレベルがＨｉｇｈのとき、ＯＮ状態となって第２コンデンサーＣ２の電荷を抜く。シュミットインバーター３１は、非放電レベルとしてＬｏｗを出力し、放電レベルとしてＨｉｇｈを出力し、第２制御信号Ｓ２のレベルが一時的にＬｏｗからＨｉｇｈに変化してから放電必要時間Ｔ１、Ｈｉｇｈを維持し、その後、第３制御信号Ｓ３のレベルをＬｏｗに戻す。
【００８０】
また、第４回路４は、第３制御信号Ｓ３が入力され、バスパワーライン８とグランドに接続される第２トランジスタＦｔ１を含む。第３回路３は、非放電レベルとしてＬｏｗを出力し、放電レベルとしてＨｉｇｈを出力する。バスパワーライン８の電圧が基準電圧Ｖｒｅｆを超えている状態から基準電圧Ｖｒｅｆ以下になったとき、第３回路３は、放電必要時間Ｔ１、第３制御信号Ｓ３のレベルをＨｉｇｈで維持し、その後、第３制御信号Ｓ３のレベルをＬｏｗに戻す。第２トランジスタＦｔ１は、第３制御信号Ｓ３がＨｉｇｈの間のみＯＮ状態となり、バスパワーライン８の電荷をグランドに流す。
【００８１】
これにより、第１回路１、第２回路２、第３回路３、第４回路４にマイコンを使わず、ハードウェアのみで構成することができる。放電装置１００に含まれる各回路でソフトウェアによる制御を行わないので、ソフトウェアの誤動作によるエラーの発生を避けることができる。また、放電装置１００に含まれる各回路に関するソフトウェアの設計、開発の手間、費用を無くすことができる。また、放電装置１００に含まれる各回路のソフトウェア動作のための資源（処理回路、ＲＯＭ、ＲＡＭ）の用意せずにすみ、コストを抑えることができる。
【００８２】
また、実施形態に係る画像形成装置（プリンター１０１）は、上述の放電装置１００を含む。これにより、画像形成装置に接続されたホストの電源ＯＦＦに基づくバスパワーライン８の電圧立ち下がりを検知すると、バスパワーライン８に残る電荷を速やかに放電できる画像形成装置を提供することができる。従って、電源が切られたＰＣのようなホスト側の回路にバスパワーライン８の電荷が回り込まず、ホストの内部回路を保護できる画像形成装置を提供することができる。
【００８３】
また、画像形成装置（プリンター１０１）は、ホスト側のバスパワーライン８と接続され、ホストにデバイス側としてケーブル５００により接続するためのデバイスコネクター５８と、デバイスコネクター５８によりバスパワーライン８と接続され、バスパワーライン８の電圧値によってホストと接続されているか否かを検知する検知回路（デバイスコントローラー５７）と、を含む。放電装置１００の第１回路１と第４回路４は、デバイスコネクター５８と検知回路の間のバスパワーライン８に接続される。これにより、放電装置１００を画像形成装置が含むので、どのようなホストが接続されても、ホストでの異常、故障発生を防ぐことができる画像形成装置を提供することができる。
【００８４】
次に、他の実施形態を説明する。上記の実施形態の説明では、放電装置１００をプリンター１０１に設ける例を説明した。しかし、放電装置１００は、情報処理装置２００の内部に設けてもよい。
【００８５】
本発明の実施形態を説明したが、本発明の範囲はこれに限定されるものではなく、発明の主旨を逸脱しない範囲で種々の変更を加えて実施することができる。
【産業上の利用可能性】
【００８６】
本発明は、画像形成装置、情報処理装置のようなバスパワーラインを有する装置に使用可能である。
【符号の説明】
【００８７】
１００    放電装置                      １０１    プリンター（画像形成装置）
２００    情報処理装置（ホスト）        ５００    ケーブル
１        第１回路                      １１      コンパレーター
１２      基準電圧生成回路              ２        第２回路
２１      ＡＮＤ回路                    ２２      インバーター
３        第３回路                      ３１      シュミットインバーター
４        第４回路                      ５８      デバイスコネクター
５７      デバイスコントローラー（検知回路）
８        バスパワーライン              Ｃ１      第１コンデンサー
Ｃ２      第２コンデンサー              Ｒ１      第１抵抗
Ｒ２      第２抵抗                      Ｒ３      第３抵抗
Ｒ４      第４抵抗                      Ｓ１      第１制御信号
Ｓ２      第２制御信号                  Ｓ３      第３制御信号
Ｔ１      放電必要時間                  Ｖｒｅｆ  基準電圧
Ｔｒ１    第１トランジスタ              Ｆｔ１    第２トランジスタ
【図１】
2017054188.tif 000003
【図２】
2017054188.tif 000004
【図３】
2017054188.tif 000005
【図４】
2017054188.tif 000006